(57)【要約】本発明は一般に、油精製の分野に関する。特に、本発明は、例えば、グリシジルエステルなどの夾雑物を実質的に含まない精製油を製造するための方法の分野に関する。本発明によれば、油精製方法においてジアシルグリセロール（ＤＡＧ）の最高レベルが３重量％である植物性油又は植物性油画分を用いることにより、グリシジルエステルを含まないこのような精製された植物性油を得ることができる。【選択図】なし【特許請求の範囲】
【請求項１】
グリシジルエステルを実質的に含まない精製された植物性油を製造するための精製方法における、遊離脂肪酸の最高レベルが１．５重量％である粗製植物性油又は植物性油画分の使用。
【請求項２】
前記精製方法が、前処理ステップと漂白ステップと脱臭ステップとを備える、請求項１に記載の使用。
【請求項３】
前記粗製植物性油又は前記植物性油画分の遊離脂肪酸の最高レベルが１．４重量％、好ましくは遊離脂肪酸の最高レベルが１．３重量％であることを特徴とする、請求項１又は２に記載の使用。
【請求項４】
脱臭前の前記植物性油又は前記植物性油画分のＤＡＧの最高レベルが３．５重量％であることを特徴とする、請求項１〜３のいずれか一項に記載の使用。
【請求項５】
脱臭前の前記植物性油又は前記植物性油画分のＤＡＧの最高レベルが３．３重量％、好ましくは３重量％である、請求項３に記載の使用。
【請求項６】
前記前処理ステップが、粗製油を酸で前処理する工程を含み、
前記漂白ステップが、油を加熱する工程と、前記油を吸着性漂白粘土中に通過させることによって油を洗浄する工程と、を含み、
前記脱臭ステップが、蒸気蒸留工程を含む、請求項５に記載の使用。
【請求項７】
前記脱臭ステップを、２４０℃未満、好ましくは２３０℃未満、さらに好ましくは２２０℃未満で実施する、請求項１〜６のいずれか一項に記載の使用。
【請求項８】
前記植物性油が、パーム油、大豆油、ナタネ油、キャノーラ油、ヒマワリ油、ココナッツ油、パーム核油、綿実油、ピーナッツ油、グラウンドナッツ油、又はこれらの組合せからなる群から選択される、請求項１〜７のいずれか一項に記載の使用。
【請求項９】
前記植物性油又は植物性油画分が、パーム油又はパーム油画分である、請求項１〜８のいずれか一項に記載の使用。
【請求項１０】
前記精製された植物性油が、１ｐｐｍ未満、好ましくは０．３ｐｐｍ未満のグリシジルエステルを含む、請求項１〜９のいずれか一項に記載の使用。
【発明の詳細な説明】
【発明の詳細な説明】
【０００１】
本発明は一般に、油精製の分野に関する。特に、本発明は、例えば、グリシジルエステルなど、夾雑物を実質的に含まない精製油を製造する方法の分野に関する。本発明によれば、油精製方法においてジアシルグリセロール（ＤＡＧ）の最高レベルが３重量％である植物性油（ｐｌａｎｔ  ｏｉｌ）又は植物性油画分を用いることにより、グリシジルエステルを含まないこのような精製された植物性油を得ることができる。
【０００２】
グリシジルエステル（ＧＥ）とは、例えば、油が真空下（３〜７ミリバール）で最高２４０〜２７０℃に加熱されうる、可食油精製の脱臭ステップの間に発生しうるプロセス夾雑物である。
【０００３】
グリシジルエステルは、ヒトへの曝露を結果としてもたらす食品中で生じていることが記載されている。何らかの健康上の有害作用を示す証拠は得られないが、食物中にそれらが存在することから懸念が生じている（Ｓｃｈｉｌｔｅｒら、Ｅｕｒ．Ｊ．Ｌｉｐｉｄ  Ｓｃｉ．Ｔｅｃｈｎｏｌ．２０１１年、１１３、３０９〜３１３）。
【０００４】
過度の高温で処理すると、植物性油によっては、検出可能なレベルのＧＥが発生する場合がある。
【０００５】
現在のところ、非常な高温で長時間にわたる油の処理を回避することにより、ＧＥの発生が回避されている。
【０００６】
しかし、当技術分野では、油を高温で長時間にわたり処理してもなおＧＥの発生を回避する油精製方法が必要とされている。
【０００７】
本発明者らは、この必要に取り組んできた。
【０００８】
結果として、本発明の目的は、当技術分野に、高温処理時におけるＧＥ発生の危険性を消失させる植物性油の精製方法を提供することであった。
【０００９】
本発明者らは、請求項１に記載の対象によってこの目的を達成しうることがわかって驚嘆した。従属請求項の対象は、本発明の理念をさらに展開する。
【００１０】
特に、本発明者らは、ＧＥが、ＤＡＧに富む油を高温で処理した後に発生しうることを見出した。
【００１１】
例えば、パーム油は、それが高量のＤＡＧ（油１００ｇ当たり４〜１２ｇ）を含有し、トリアシルグリセロール（［ＴＡＧ］、８８〜９６％）がその全グリセリドの大部分を占めるという点で固有である。パーム油中のＤＡＧレベルは、以下の２つの主要な因子に帰することができる：ヤシ果実を収穫したときの成熟度、及び収穫と粗製パーム油（ＣＰＯ）の生成との間の期間。
【００１２】
本発明者の観察は、ＧＥ形成が大部分、ＭＣＰＤエステルの形成に関与する反応経路には依存しないことを示唆した。これらの考察に基づき、ＧＥは、油中のＤＡＧレベルを低減することにより有効に最小化しうることが結論された。
【００１３】
図１において提起される通り、ＧＥは主に、２００℃超の温度では定量的に重要な反応であるＤＡＧの熱分解により形成される。
【００１４】
ＤＡＧ含量及び脱臭温度の、精製されたパーム油中のＧＥの発生に対する効果について探索した。脱臭実験により、ＧＥのＤＡＧからの形成は、２３０℃超の温度で重要であることが確認された。
【００１５】
本発明者らの実験データは、ＤＡＧがグリシジルエステル及び遊離脂肪酸と高温で反応し、この反応により、２３０℃超の温度におけるグリシジルエステルの発生の指数関数的な増大がもたらされることを示す（図１）。
【００１６】
したがって、夾雑物量の低減を確保するために、植物油（ｖｅｇｅｔａｂｌｅ  ｏｉｌ）精製時において使用される温度は、２３０℃を超えないことが好ましい。
【００１７】
粗製パーム油（ＣＰＯ）中の遊離脂肪酸（ＦＦＡ）レベルを、完全に精製されたパーム油のＤＡＧ含量と直接的に相関させる予測モデルを開発したところ、精製されたパーム油中３％のＤＡＧは、初期のＣＰＯ中１．２〜１．３％のＦＦＡと同等となる。
【００１８】
本発明者らは、例えば、パーム油などの植物油中のＤＡＧ含量、結果として植物油中のＦＦＡは、熱条件下におけるＧＥの形成に大きな影響を及ぼす可能性があることを見出した。
【００１９】
それを超えるとＧＥが大量に発生するＤＡＧの臨界値が存在するかどうかをよりよく理解するために、実験を実施した。この目的で、ＤＡＧが低量（＜１％）の綿実油を、反応媒体として用いるために得た。純粋なジヘプタデカノイン（Ｃ１７：０−ＤＡＧ）を、油全体の１〜５％の範囲の多様な量でこの油に添加した。得られた混合物を、密封型ガラス製アンプル内、２３５℃で２時間にわたり加熱した。
【００２０】
ヘプタデカン酸グリシジルのジヘプタデカノインからの形成は、ＵＬＣ−ＭＳ／ＭＳでモニタリングした。
【００２１】
ＧＥのＤＡＧからの形成は、ＤＡＧ含量と正比例しないことが判明した。３％超のレベルのＤＡＧでは、ＧＥの形成が特に優勢になる。
【００２２】
結果として、本発明は、ＧＥを実質的に含まない精製された植物性油を生成する精製方法におけるＦＦＡの最高レベルが１．３重量％である粗製植物性油又は植物性油画分の使用に関する。
【００２３】
本発明においては、植物性油が圧搾後のいかなる処理にもかけられていない場合に、これを「粗製」と考える。
【００２４】
ＧＥの「を実質的に含まない」とは、精製油が１ｐｐｍ未満のＧＥ、例えば、０．５ｐｐｍ未満のＧＥ、好ましくは０．３ｐｐｍ未満のグリシジルエステルを含有することを意味する。
【００２５】
当技術分野では、植物性油の精製はよく知られており、今日では標準的な産業手順となっている。
【００２６】
最新の植物性油、例えば、植物油の加工は今日、図１にまとめられる２つの主要な方法である、化学的精製及び物理的精製からなる。
【００２７】
持続可能性の増大を目的とする試みにおいて、油精製業者は、過去数十年間、エネルギー消費を最小化し、無駄を削減するためにそれらの植物油加工ラインを改造した（エコノマイザー）が、しかし、これらの２つの精製方法のステップは、依然として本質的に同じものであった。
【００２８】
物理的精製とは本質的に、化学的精製の簡略形態であり、パーム油の精製の好ましい方法として１９７３年に導入された。物理的精製は、３ステップの連続的な操作であって、投入される粗製油を酸で前処理（脱ガム）し、吸着性漂白粘土中に通過させることにより洗浄し、次いで、蒸気蒸留にかける操作であるという点で固有である。この方法は、その後の脱酸化、脱臭、及びパーム油に固有なカロテノイドの分解（すなわち、粗製油の色は、他の植物油と異なり深紅である）を可能とする。物理的精製における中和ステップの欠如を踏まえると、物理的精油所から生成する精製され漂白された（ＲＢ）油は、粗製油中に見出されるのとほぼ同じレベルのＦＦＡを含有する。
【００２９】
化学的精油所に由来する中和され漂白された（ＮＢ）油は、ＮＢ油中０．１５（ＲＢＤ／ＮＢＤ完全精製油中０．１０）％の限界を規定する。ＮＢパーム油及びＲＢパーム油は、他のあらゆる側面で極めて同等な予備脱臭物である。
【００３０】
結果として、本発明の精製方法は、前処理ステップ、漂白ステップ、及び脱臭ステップを備えうる。
【００３１】
前処理ステップは、酸による粗製油の前処理工程を含むことが可能であり、漂白ステップは、油の加熱工程及び油を吸着性漂白粘土中に流過させることにより油を浄化する工程を含むことが可能であり、脱臭ステップは、蒸気蒸留工程を含みうる。
【００３２】
明らかに、粗製油中の遊離脂肪酸の含量が低量であるほど、精製時におけるＧＥ形成の可能性は低下する。
【００３３】
したがって、粗製植物性油又は植物性油画分のＦＦＡの最高レベルが２重量％であるか、なお又はＦＦＡの最高レベルが１．３重量％であれば、特に好ましい。
【００３４】
粗製植物油中のＦＦＡ量は、例えば、脱臭前の精製されたパーム油のＤＡＧ含量と連関しているので、グリシジルエステルの発生を回避するためには、油中のＤＡＧ含量が低量であることが好ましい。
【００３５】
結果として、本発明に従い、脱臭前の植物性油又は植物性油画分のＤＡＧの最高レベルは、３．５重量％でありうる。例えば、脱臭前の植物性油又は植物性油画分のＤＡＧの最高レベルは、３．３重量％、好ましくは３重量％でありうる。
【００３６】
例えば、パーム油の製造において、ＤＡＧは、ヤシ果実の成熟期における、ＴＡＧのリパーゼによる酵素的加水分解の結果である。この反応は、果実が過剰成熟し、植物体から地面へと落下する場合に特に重要である。接触と同時に、果実は傷を受け、これは、脂肪分解性酵素と新たに分泌される油との接触の増大を結果としてもたらす。
【００３７】
結果として、パーム油中のＤＡＧレベルを統御する最重要のパラメータは、成熟度のほか、新鮮な果実の収穫と粗製パーム油（ＣＰＯ）の生成との間の時間でもある。
【００３８】
結果として、新鮮なヤシ果実を、不必要な遅延なしに、パーム油を製造するのに用いることが好ましい。
【００３９】
本発明の一実施形態では、植物物質の収穫から精製油の生成までの期間が、１週間未満、好ましくは２４時間未満であり、好ましくは１２時間未満である。
【００４０】
高温はＧＥの形成を指数関数的に助長するので、脱臭ステップは、２４０℃未満、好ましくは２３０℃未満、なおより好ましくは２２０℃未満で実施すれば好ましい可能性がある。
【００４１】
本発明に従い、任意の植物性油を精製することができる。
【００４２】
油は、ヒト又は動物による摂取を意図することが好ましい。例えば、植物性油は、パーム油、大豆油、ナタネ油、キャノーラ油、ヒマワリ油、ココナッツ油、パーム核油、綿実油、ピーナッツ油、グラウンドナッツ油、又はこれらの組合せからなる群から選択することができる。
【００４３】
本発明の特に好ましい実施形態では、植物性油又は植物性油画分は、パーム油又はパーム油画分である。
【００４４】
本発明の使用は、精製された植物性油中のＧＥを顕著に低減するか又は消失させることを可能とする。
【００４５】
結果として、精製された植物性油は、１ｐｐｍ未満、好ましくは０．３ｐｐｍ未満のグリシジルエステルを含みうる。例えば、精製植物性油は、ＧＥを含まないことが可能である。
【００４６】
当業者には、開示される本発明の範囲を逸脱しない限りにおいて、本発明の特色を自由に組み合わせうることが明らかである。
【００４７】
本発明のさらなる利点及び特色は、以下の図及び例から明らかである。
【図面の簡単な説明】
【００４８】
【図１】植物油の化学的精製方法及び物理的精製方法についての概略を示す図である。
【図２】高温におけるＧＥのＤＡＧからの形成について提起される機構を示す図である。
【図３】脱臭温度の、精製漂白されたパーム油におけるＧＥのＤＡＧからの形成に対する影響を示す図である。上記のデータは、ラウリン酸グリシジル、リノール酸グリシジル、リノレン酸グリシジル、ミリスチン酸グリシジル、オレイン酸グリシジル、パルミチン酸グリシジル、及びステアリン酸グリシジルの総和である。
【図４】ＤＡＧレベルの、ＧＥの形成に対する影響を示す図である（結果は、５％のＤＡＧを伴う試料中に見出されるＧＥレベルに照らして標準化した）。
【実施例】
【００４９】
実施例１．脱臭温度のＧＥ形成に対する影響
【００５０】
１．熱反応実験
【００５１】
ジヘプタデカノインは、Ｎｕ−Ｃｈｅｋ−Ｐｒｅｐ（Ｅｌｙｓｉａｎ、ＭＮ、ＵＳＡ）から得た。ＤＡＧ含量を＜１％とする、天然の完全に精製された（すなわち、精製され、漂白され、脱臭された（Ｒｅｆｉｎｅｄ  ｂｌｅａｃｈｅｄ  ｄｅｏｄｏｒｉｚｅｄ）又はＲＢＤ）綿実油は、ＡＤＭ（Ａｒｃｈｅｒ  Ｄａｎｉｅｌｓ  Ｍｉｄｌａｎｄ  Ｃｏｍｐａｎｙ、Ｄｅｃａｔｕｒ、ＩＬ、ＵＳＡ）から得た。ジヘプタデカノインは、綿実油中１〜５％の範囲の濃度で希釈した。ガスクロマトグラフ内の窒素下、２３５℃の密封型ガラス製アンプル内で２時間にわたり、ｉｎ  ｖｉｔｒｏの熱反応実験を実施した。
【００５２】
２．ＵＬＣ−ＴｏＦ  ＭＳによる解析
【００５３】
２．１．基準溶液
【００５４】
油試料からの抽出法を最適化するほか、ＬＣ−ＴｏＦ−ＭＳによる検出のために、純粋なグリシジルオレイン酸、パルミチン酸、リノール酸、及びリノレン酸（Ｗａｋｏ  Ｃｈｅｍｉｃａｌｓ  ＧｍｂＨ、Ｎｅｕｓｓ、Ｇｅｒｍａｎｙ）を解析用基準物質として用いた。グリシジルステアリン酸は、自社内で合成及び精製した。これらの基準物質はまた、標準的な付加法により、パーム油試料中のグリシジルエステルの定量化を実施するのにも用いた。
【００５５】
２．２．試料の調製
【００５６】
グリシジルエステルを、ｎ−ヘキサン中で希釈し（１０ｍＬのｎ−ヘキサン中に１ｇの油）、次いで、２ｍＬを、ビーカー内の１ｇのＣ１８樹脂（ベイカーボンドオクタデシル４０μｍプレップＬＣパッキング（Ｂａｋｅｒｂｏｎｄ  Ｏｃｔａｄｅｃｙｌ  ４０μｍ  Ｐｒｅｐ  ＬＣ  Ｐａｃｋｉｎｇ）、Ｊ．Ｔ．Ｂａｋｅｒ）へと添加した。試料と混合した固相を窒素流下で乾燥させ、次いで、２ｇのＣ１８  ＳＰＥカートリッジ（ベイカーボンドＳＰＥオクタデシル（Ｂａｋｅｒｂｏｎｄ  ＳＰＥ  Ｏｃｔａｄｅｃｙｌ）、Ｊ．Ｔ．Ｂａｋｅｒ）の上部へと移した。グリシジルエステルは１５ｍＬのＭｅＯＨにより溶出させ、溶出物は窒素下で乾燥させ、４００μＬのアセトニトリル中で再懸濁させてから、ＬＣ−ＴｏＦ−ＭＳシステムへと注入した。
【００５７】
２．３．ＵＬＣ−ＴｏＦ  ＭＳのシステム及び条件
【００５８】
クロマトグラフィー条件は、上述の基準溶液を用いて最適化した。付録の表３に示されるメタノール：水（７５：２５、１０ｍＭのギ酸アンモニウム、０．１％のギ酸）及びイソプロパノール（１０ｍＭのギ酸アンモニウム、０．１％のギ酸）による勾配を用いて解析物を分離するのに、逆相カラム（ウォーターズアクィティＨＳＳ  Ｔ３（Ｗａｔｅｒｓ  Ａｃｑｕｉｔｙ  ＨＳＳ  Ｔ３）、１．７μｍ；２．１×５０ｍｍ）を用いた。
【００５９】
質量分析による検出は、正モードで作動するエレクトロスプレーイオン化（ＥＳＩ）源を伴う、Ａｇｉｌｅｎｔ製のＬＣ−ＱＴｏＦウルトラハイデフィニション（ＬＣ−ＱＴｏＦ  Ｕｌｔｒａ  Ｈｉｇｈ  Ｄｅｆｉｎｉｔｉｏｎ）６５４０により実施した。これらの条件内で、質量精度を２ｐｐｍ未満として、異なる付加物（Ｈ＋、ＮＨ４＋、Ｎａ＋、及びＫ＋）を検出した。
【００６０】
３．結果：温度のＧＥ形成に対する影響
【００６１】
この例において、本発明者らは、ＧＥ形成反応の活性化エネルギーが、可食油の脱臭時において使用される高真空圧など、高真空圧により影響されるかどうかを決定することに着手した。この可能性を解明するため、ベンチトップ型の蒸気蒸留装置を用いて、精製され漂白された（ＲＢ）パーム油を多様な温度で脱臭した。これらの実験から発生する総グリシジルエステルレベルをまとめたものを図３に示す。これらの結果は、２２０〜２３０℃の範囲を超える温度で、顕著なＧＥ形成が生じることを裏付ける。したがって、ＧＥ量の低減を確保するために、パーム油の精製時に使用される脱臭温度は、２２０〜２３０℃を超えるべきではない。この温度範囲未満では、ＧＥの形成が最小限である。
【００６２】
実施例２．ＤＡＧレベルのＧＥ形成に対する影響
【００６３】
１．熱反応実験
【００６４】
持続可能（ｓｕｓｔａｉｎａｂｌｅ）な精製され漂白された（ＲＢ）パーム油は、ＡａｒｈｕｓＫａｒｌｓｈａｍｎ  Ｓｗｅｄｅｎ  ＡＢ（ＡＡＫ、Ｋａｒｌｓｈａｍｎ、Ｓｗｅｄｅｎ）から得た。総容量５００ｍＬのベンチトップ型ガラス製蒸気蒸留装置を、ｉｎ  ｖｉｔｒｏにおけるパーム油脱臭実験に使用した。この装置は、熱制御型加熱マントル、５００ｍＬの油容器、熱調節型水気泡生成器、蒸留物トラップを伴う蒸留アーム（イソプロパノール中に浸漬させたドライアイスと共に約−６０℃に保つ）、並びに圧力制御装置及び安全トラップを伴う高真空ポンプ（液体窒素と共に約−６０℃に保つ）を装備した。
【００６５】
ＲＢパーム油試料は、対流オーブン内、８０℃で短時間にわたり加熱して、均一性を確保した。脱臭実験のため、容量２００ｍＬのＲＢパーム油を、前述の装置内、２ミリバールの定圧を伴う１８０〜２４０℃の範囲の温度で２時間にわたり脱臭した。
【００６６】
２．ＵＬＣ−ＭＳ／ＭＳによる解析
【００６７】
２．１．基準溶液
【００６８】
メタノール中５ｎＭの濃度の純粋なグリシジルパルミチン酸を、解析用基準物質として用いて、ＬＣ−ＭＳ／ＭＳシステムを最適化した。１：４（ｖ／ｖ）のメタノール：アセトン中１００μｇ／ｍＬの１３Ｃ３−Ｓｎ１−パルミトイル−Ｓｎ２−ステアリル−ＭＣＰＤ溶液を、正イオンモードにおける測定のための内部基準物質として用いた。
【００６９】
２．２．試料の調製
【００７０】
全ての試料を、対流オーブン内、８０℃で短時間にわたり加熱して、均一性を確保した。全ての試行で、２０μＬの試料アリコートを、１：１（ｖ／ｖ）のアセトン：ｎ−ヘキサン９７０μＬへと添加した。次いで、１０μＬの内部基準溶液（１μｇと同等な１ｍｇ／１０ｍＬ）を添加した。次に、容量１００μＬのこの溶液を、９００μＬのアセトンへと移した。次いで、この溶液の１００μＬのアリコートを、９００μＬのメタノールへと移した。最後に、この溶液に由来する２５μＬを、ＵＬＣ−ＭＳ／ＭＳシステムへと注入した。
【００７１】
２．３．ＵＬＣ−ＭＳ／ＭＳのシステム及び条件
【００７２】
サーモフィッシャーアクセラ（ＴｈｅｒｍｏＦｉｓｈｅｒ  Ａｃｃｅｌａ）１２５０システムを用いて、超高速液体クロマトグラフィーを実施した。シリカベースのオクタデシル相（ウォーターズアクィティＨＳＳ  Ｃ１８、１．７μｍ；２．１×１５０ｍｍ）は、緩衝処理されたメタノール−イソプロパノール勾配であって、表１（付録を参照されたい）に示される勾配を用いる解析物の分離に適正であることが見出された。
【００７３】
グリシジルエステルの相対的定量化のためには、サーモフィッシャーＴＳＱクォンタムアクセスＭａｘ（ＴｈｅｒｍｏＦｉｓｈｅｒ  ＴＳＱ  Ｑｕａｎｔｕｍ  Ａｃｃｅｓｓ  Ｍａｘ）質量分析計を用いた。正イオンモードのエレクトロスプレーイオン化の後、三連の四重極ベースのタンデム質量分析を用いて、グリシジルエステルを検出した。選択反応モニタリング（ＳＲＭ）実験に適用された遷移を、表２（付録を参照されたい）に示す。全ての遷移では、１５０ミリ秒の滞留時間及び０．２ｍ／ｚのスパンを用いた。
【００７４】
３．結果：ＤＡＧ含量のＧＥ形成に対する影響
【００７５】
それを超えるとＧＥが大量に発生するＤＡＧの臨界値が存在するかどうかをよりよく理解するために、本実験を実施した。この目的で、ＤＡＧが低量（＜１％）の綿実油を、反応媒体として用いるために得た。純粋なジヘプタデカノイン（Ｃ１７：０−ＤＡＧ）を、油全体の１〜５％の範囲の多様な量でこの油に添加した。得られた混合物を、密封型ガラス製アンプル内、２３５℃で２時間にわたり加熱した。ヘプタデカン酸グリシジルのジヘプタデカノインからの形成は、ＵＬＣ−ＭＳ／ＭＳでモニタリングした。これらのｉｎ  ｖｉｔｒｏにおける実験の結果を図４に示す。この例は、ＧＥのＤＡＧからの形成が、ＤＡＧ含量と正比例しないことを示す。３％超のレベルのＤＡＧでは、ＧＥの形成が特に優勢になる。
【図１】
2014514384.tif 000002
【図２】
2014514384.tif 000003
【図３】
2014514384.tif 000004
【図４】
2014514384.tif 000005
【国際調査報告】
2014514384.tif 000006
2014514384.tif 000007